(57)【要約】【課題】電池が抜け落ちにくく、外装ケースの剛性を保持しつつデザインの統一性を図ることを可能とし、印刷装置に収納される電池のサイズ及び重量に制限を受けない印刷装置を提供する。【解決手段】被記録媒体７が収納される用紙パッケージ８と、前記用紙パッケージ８が収納される用紙パッケージ収納部５と、前記用紙パッケージ収納部５を開閉する蓋部材４と、被記録媒体７に印刷する印刷手段１１とを備えた印刷装置１において、前記用紙パッケージ収納部５の底面に設けられた凹状の電池収納部３０と、前記電池収納部３０に収納されるとともに印刷装置１に給電する電池３１とを備え、前記電池３１は、前記蓋部材４を閉じた際に、前記電池収納部３０と前記用紙パッケージ８との間に挟持される。【選択図】図５
2008307789.tif 000002
【特許請求の範囲】
【請求項１】
被記録媒体が収納される用紙パッケージと、
前記用紙パッケージが収納される用紙パッケージ収納部と、
前記用紙パッケージ収納部を開閉する蓋部材と、
被記録媒体に印刷する印刷手段とを備えた印刷装置において、
前記パッケージ収納部の底面に設けられた凹状の電池収納部と、
前記電池収納部に収納されるとともに印刷装置に給電する電池とを備え、
前記電池は、前記蓋部材を閉じた際に、前記電池収納部と前記用紙パッケージの間に挟持されることを特徴とする印刷装置。
【請求項２】
前記電池収納部の一側壁に形成された係合部と、
前記係合部が形成される側壁から水平方向に延出された押え部と、
前記係合部が形成された側壁と対向する側壁から水平方向に延出された延出部とを備え、
前記係合部と、前記押え部と、前記延出部からなる電池ロック機構を有することを特徴とする請求項１に記載の印刷装置。
【発明の詳細な説明】
【技術分野】
【０００１】
本発明は、携帯して使用する印刷装置に関し、特に、電源として電池を使用する印刷装置に関するものである。
【背景技術】
【０００２】
従来より、被記録媒体に印刷する印刷手段を有すると共に、電池を本体ケースの側面・裏面に形成された電池収納室に装填するような印刷装置が種々提案されている。例えば、特許文献１のポータブルプリンタでは、外装ケースの側面に電池収納室が形成され、その電池収納室の形状に合わせて形成されている蓋で開閉できるようになっている。
【特許文献１】特開２００２−１９２２９号公報
【発明の開示】
【発明が解決しようとする課題】
【０００３】
しかしながら、上述した特許文献１で記載された構成では、電池収納室及び電池収納室の蓋は外装ケースに形成されていることから、外部の衝撃を受けやすくなり、落下等により、電池収納室の蓋が外れ、中に入っている電池が抜け落ちやすいという問題がある。
また、電池収納室の蓋は樹脂で構成され、金属で構成されている外装ケースとは材質が異っていることから、蓋の存在により外装ケースの剛性が低下するとともに、外観デザインに影響を与える問題がある。さらに、電池収納室中の電池は外蓋で支えられているため、電池のサイズ及び重量が制限される不備もある。
【０００４】
そこで、本発明は上述した問題点を解決するためになされたものであり、電池が抜け落ちにくく、外装ケースの剛性を保持しつつデザインの統一性を図ることを可能とし、印刷装置に収納される電池のサイズ及び重量に制限を受けない印刷装置を提供することを目的とする。
【課題を解決するための手段】
【０００５】
前記目的を達成するため請求項１に係る印刷装置は、被記録媒体が収納される用紙パッケージと、前記用紙パッケージが収納される用紙パッケージ収納部と、前記用紙パッケージ収納部を開閉する蓋部材と、被記録媒体に印刷する印刷手段とを備えた印刷装置において、前記パッケージ収納部の底面に設けられた凹状の電池収納部と、前記電池収納部に収納されるとともに印刷装置に給電する電池とを備え、前記電池は、前記蓋部材を閉じた際に、前記電池収納部と前記用紙パッケージの間に挟持されることを特徴とする。
【０００６】
また、請求項２に係る印刷装置は、請求項１に記載の印刷装置において、前記電池収納部の一側壁に形成された係合部と、前記係合部が形成される側壁から水平方向に延出された押え部と、前記係合部が形成された側壁と対向する側壁から水平方向に延出された延出部とを備え、前記係合部と、前記押え部と、前記延出部からなる電池ロック機構を有することを特徴とする。
【発明の効果】
【０００７】
請求項１に係る印刷装置では、パッケージ収納部の底面に設けられた凹状の電池収納部が配置され、かかる電池収納部に収納される電池は、蓋部材を閉じた際に、電池収納部と用紙パッケージの間に挟持されている。
このように、電池収納部は印刷装置の内部に設けられているため、電池収納部が印刷装置の外部からの衝撃を受けることがなくなる。これによって、印刷装置が落下等した場合においても、電池収納部に収納された電池が抜け落ちてしまうことを確実に防止することができる。
【０００８】
また、電池収納部はパッケージ収納部の底面に設けられ、結果として印刷装置の内部に設けられることとなる。従って、電池の収納は印刷装置の外観に何らの影響を与えることはない。これにより、印刷装置の外装ケースについて外観デザインを全体に統一して行うことができる。また、電池収納部に収納される電池のサイズ及び重量が制限されることは少ない。
【０００９】
また、請求項２に係る印刷装置では、電池収納部において、係合部と、押え部と、延出部がそれぞれ形成され、係合部と、押え部と、延出部とが構成される電池ロック機構により、電池が電池収納部から抜けにくくなり、電池の収納性を更に高めることができる。
【発明を実施するための最良の形態】
【００１０】
以下、本発明に係る印刷装置について、本発明を具体化した二つの実施形態に基づき図面を参照しつつ詳細に説明する。先ず、本発明の二つ実施形態に係る印刷装置の概略構成における共通部分について図１乃至図２に基づき説明する。
【実施例】
【００１１】
図１は本実施形態に係る印刷装置の外観斜視図である。図２は印刷装置のケースカバーを開けて示す斜視図である。
図１及び図２に示すように、印刷装置１は、平面視、略矩形の形状を有し、平面視略Ａ５サイズ程度の大きさで、厚みが約２ｃｍの、上面が開放された箱形の本体ケース２を有している。この本体ケース２の上面には、本体ケース２の長手方向の一端（以下、「前端」という）寄りに本体上面を覆う略矩形の固定カバー部３を有する。
【００１２】
かかる固定カバー部３に隣接して本体ケース２内には、感熱紙からなるＡ６サイズのカットシート状の被記録媒体としての用紙７を複数枚収納した用紙パッケージ８が収納できる用紙パッケージ収納部５が形成されている。また、固定カバー部３に覆われた本体ケース２の内部には、後述の印刷機構部１１（図４参照）が設けられている。
【００１３】
また、用紙パッケージ収納部５を覆うようにケースカバー４が設けられている。このケースカバー４は、図２に示すように、本体ケース２の後端左側角部に設けられた左側リンクユニット９（図２における左側）と、本体ケース２の後端右側角部に設けられた右側リンクユニット１０（図２における右側）とによって、本体ケース２に対して開閉可能に取り付けられている。
ケースカバー４の自由端側には、このケースカバー４を閉じた際に、二つのコイルバネ１９によって、積層された用紙７の上面を押さえてピックアップローラ２２（図４参照）に押圧する押さえ板２０が設けられている。また、ケースカバー４と固定カバー部３との間には、所定隙間が形成され、印刷された用紙７が排出される排出口１８が設けられている。
【００１４】
また、ケースカバー４は、所定厚さ（本実施形態では、約１ｍｍの厚さである。）の樹脂製表面部材４Ａと、この樹脂製表面部材４Ａの内側面をほぼ覆うように溶着や接着等により固着される所定厚さ（本実施形態では、約１ｍｍの厚さである。）のステンレス板等によって形成される金属製補強板４Ｂとから構成されている。
樹脂製表面部材４Ａの後端中央部は、内側方向に長方形に切りかかれて、透明な樹脂で作成された窓部材４Ｃが接着や両面粘着テープ等によって固着されている。
【００１５】
また、図２に示すように、ケースカバー４の金属製補強板４Ｂの後端部の両側に係止片１３、１４が形成されると共に、係止片１３の外側に係止片１２、係止片１４の外側に係止片１５がそれぞれ形成されている。また、用紙パッケージ収納部５の左側側壁５Ｆに係合凸部５Ｇ、右側側壁５Ｄの後端部近くに５Ｅがそれぞれ形成されている。
また、各リンクユニット９、１０には、係合部９Ａ、１０Ａが形成されていると共に、左側リンクユニット９に左側ねじりコイルバネ１６Ａ（図２における左側）と、右側リンクユニット１０に右側ねじりコイルバネ１６Ｂ（図２における右側）とが取り付けられている。
【００１６】
また、図３は印刷装置のケースカバーの開閉動作を示した図である。このケースカバー４を開く場合には、図３（Ａ）→（Ｂ）→（Ｃ）に示すように、ケースカバー４を固定カバー部３と離間する方向へスライドさせることによって、ケースカバー４の各係止片１３、１４と各リンクユニット９、１０の各係合部９Ａ、１０Ａとの係合が解除されると共に、該金属製補強板４Ｂの各係止片１２、１５と用紙パッケージ収納部５の各係合凸部５Ｇ、５Ｅとの係合が解除されて、左側ねじりコイルバネ１６Ａと右側ねじりコイルバネ１６Ｂによって外側方向に回動されて開くようになっている。
【００１７】
ケースカバー４を閉じる場合には、図３（Ｃ）→（Ｂ）→（Ａ）に示すように、ケースカバー４を各ねじりコイルバネ１６Ａ、１６Ｂの付勢力に抗して本体ケース２に当接させて、固定カバー部３の方向へスライドさせることによって、各係止片１３、１４が各係合部９Ａ、１０Ａに係合し、各係止片１２、１５が各係合凸部５Ｇ、５Ｅに係合して閉じるようになっている。
【００１８】
また、図４は図２のＸ１−Ｘ１矢視断面図である。図４に示すように、印刷機構部１１は、積層された用紙７を分離して搬送方向に給紙を行うピックアップローラ２２と、分離部材２３と、搬送された用紙７をプラテンローラ２４の外周回りに案内するペーパーガイド２５と、用紙７をサーマルヘッド２６へ搬送するプラテンローラ２４と、ヘッド支持部材２９の下面に固着されて一対の左バネ（図示しない）及び右バネ２８の付勢力でプラテンローラ２４方向に押圧され、そのプラテンローラ２４上で用紙７に加熱印刷を行うサーマルヘッド２６とが設けられている。また、分離部材２３の固定カバー部３側の斜面部と、固定カバー部３の用紙パッケージ収納部５側の側端縁部とによって排出口１８が形成されている。
【００１９】
そして、用紙パッケージ収納部５に収納された用紙７は、各コイルバネ１９によって押さえ板２０を介してピックアップローラ２２に付勢され、積層された用紙７のうちの最下層の用紙７のみがピックアップローラ２２の回転駆動によって搬送される。この搬送された用紙７は、下面が搬送方向斜め下方に傾斜する分離部材２３に当接して下側方向へ案内され、プラテンローラ２４の下側を通過する。
更に、断面がプラテンローラ２４の外周面に沿うように断面横向き略Ｕ字状等の凹湾曲状に形成されたペーパーガイド２５によってプラテンローラ２４の外周面に沿って案内され、サーマルヘッド２６とプラテンローラ２４とが当接する印刷位置まで搬送される。
【００２０】
そして、サーマルヘッド２６により用紙７の印刷面に印刷され、更に、プラテンローラ２４の回転駆動によって分離部材２３の用紙パッケージ収納部５側へ斜め上方向に傾斜する傾斜面に沿って上方へ案内され、排出口１８から排出される。
また、本体ケース２は、固定カバー部３や用紙パッケージ収納部５が形成される樹脂製のフレームカバー２Ａと、ステンレス等の金属製の底面カバー２Ｂとから構成されている。
【００２１】
次に、第１実施形態に係る電池収納部及び二次電池の概略構成を図５に基づいて説明する。図５は電池収納部及び二次電池の概略構成を示す斜視図である。
図５に示すように、用紙パッケージ収納部５の後端部の底面において、電池収納部３０は略Ａ８サイズの長方形である直方体の空間として形成され、電池収納部３０の上部が開放されているので、電池収納部３０とほぼ同じ大きさの矩形を有する薄型二次電池３１を挿入し、その内部に収納することができる。
【００２２】
電池収納部３０の前端の側壁３８（図５における右前側）において、二本ずつの短い針状の金属からなる、伸縮可能な接触端子３０Ａ、３０Ｂ、３０Ｃが配置されている。かかる接触端子３０Ａ、３０Ｂ、３０Ｃは、後述する二次電池３１の電池端子３１Ａ、３１Ｂ、３１Ｃと接続することにより、二次電池３１から印刷装置に電気を供給することができる。また充電時には、装置側から二次電池へ電気が供給される。
電池収納部３０の短手方向の右側の側壁（図５における右上側）には、リブ３５Ａ、３５Ｂが設けられ、左側の側壁（図５における左下側）には、リブ３６Ａ、３６Ｂが設けられている。これらのリブは、二次電池３１が電池収納部３０に取り付けられた後、電池収納部３０の短手方向におけるずれを防止するためのものである。
【００２３】
また、前記接触端子３０Ａ等が設けられた側壁３８と対向する後端側壁３９のほぼ中央位置で、係合部３２が突出して設けられている。かかる係合部３２は弾性バネ３３（図６を参照）によって突出方向に付勢されている。二次電池３１は、電池収納部３０に収納される際、かかる係合部３２によって抜け止めされている。
更に、電池収納部３０の後端部において、係合部３２が設けられた側壁３９から１〜２ｍｍの所定長さで延出された押え部３７（図６を参照）が形成されている。この押え部３７は、二次電池３１が電池収納部３０に装填された後、電池収納部３０から簡単に抜けないように押さえつけている。
また、電池収納部３０の前端部で、接触端子３０Ａ、３０Ｂ、３０Ｃが設けられた側壁３８から所定長さ（約１ｍｍ程度）で延出部４０（図６を参照）が延出されている。
【００２４】
上記延出部４０は、押え部３７および係合部３２と電池ロック機構を構成することにより、二次電池３１が電池収納部３０に装填された後、電池収納部３０から簡単に抜けないようにロックしている。印刷装置１が落下し、又は用紙パッケジ８がなく、ケースカバー４が不意に開けられたときでも、二次電池３１が印刷装置１から抜けることを防止できる。
更に、二次電池３１は、図５に示すように、略Ａ８サイズの矩形を有している。かかる二次電池３１の前端面４３の右側において、３つの電池端子３１Ａ、３１Ｂ、３１Ｃが形成されている。これらの電池端子３１Ａ、３１Ｂ、３１Ｃは、前述電池収納部３０の接触端子３０Ａ、３０Ｂ、３０Ｃと対応して接続されている。
【００２５】
次に、第１実施形態において、二次電池３１を電池収納部３０への取付方法について図６に基づいて説明する。図６は第１実施形態における二次電池を電池収納部へ取付する方法の説明図。
図６に示すように、まず、二次電池３１を電池収納部３０の後端部（図６における左側）に向かって斜め下向きに挿入する。即ち、二次電池３１の前端面４３と対向する後端面４２を係合部３２に当接するように、二次電池３１を斜め下向きに電池収納部３０へ挿入する。その際、二次電池３１における上表面の後端側４５が押え部３７の下に押さえ込まれるように二次電池３１を挿入する。
【００２６】
それから、後端面４２が係合部３２に当接し、係合部３２の弾性バネ３３の付勢力を抗して、係合部３２を押圧しながら二次電池３１を電池収納部３０に押し下げる。
二次電池３１を更に押し下げると、二次電池３１前端面４３が電池収納部３０の前端側壁３８（図６における右側）に当接する。このようにして、二次電池３１が完全に電池収納部３０に収納され、二次電池３１における上表面の前端側４４が延出部４０の下に入り込むようになる。
このように、二次電池３１を挿入する際に押圧された係合部３２は、二次電池３１が収納されると、弾性ばね３３が自動的に伸縮されることにより突出し、二次電池３１の後端面４２に係合する。更に、押え部３７及び延出部４０の押さえつけにより、二次電池３１が電池収納部３０から抜けられないように収納されている。
【００２７】
上述したように、第１実施形態に係る印刷装置１では、電池収納部３０において、係合部３２と、押え部３７と、延出部４０がそれぞれ形成され、係合部３２と、押え部３７と、延出部４０とが構成される電池ロック機構により、二次電池３１が電池収納部３０から抜けにくくなり、二次電池３１の収納性を高めることができる。
このように、第１実施形態において、電池収納部３０は印刷装置１の内部に設けられているため、電池収納部３０が印刷装置１の外部からの衝撃を受けることがなくなる。これによって、印刷装置１が落下等した場合においても、電池収納部３０に収納された二次電池３１が抜け落ちてしまうことを確実に防止することができる。
【００２８】
また、かかる電池収納部３０はパッケージ収納部５の底面に設けられ、結果として印刷装置１の内部に設けられることとなり、従って、二次電池３１の収納は印刷装置１の外観に何らの影響を与えることはない。これにより、印刷装置１の本体ケース２につき外観デザインを全体に統一して行うことができ、また、電池収納部３０に収納される二次電池３１のサイズ及び重量が制限されることはない。
【００２９】
次に、第２実施形態に係る電池収納部の概略構成を説明する。第２実施形態に係る電池収納部５０は第１実施形態の電池収納部３０とほぼ同じ構成を有しているため、これらについて、詳細の説明を省略する。
第２実施形態に係る電池収納部５０は、第１実施形態の電池収納部３０と異なる点は、電池収納部５０においては係合部３２、押え部３７及び延出部４０が形成されていないことである。
【００３０】
更に、第２実施形態において、二次電池３１の電池収納部５０への取付方法について図７に基づいて説明する。図７は第２実施形態における二次電池を電池収納部へ取付する方法の説明図。
図７に示すように、まず、二次電池３１を電池収納部５０に直下向きに挿入する。二次電池３１の後端面４２が電池収納部５０の後端側壁３９に当接し、電池端子３１Ａ、３１Ｂ、３１Ｃが電池収納部５０の接触端子３０Ａ、３０Ｂ、３０Ｃに当接するように挿入する。
【００３１】
また、二次電池３１を挿入した後、ケースカバー４を閉じる際、電池収納部５０の上部に用紙パッケージ８で覆う。これにより、二次電池３１が用紙パッケージ８により押えられており、従って、二次電池３１は、簡単に電池収納部５０から抜けてしまうことはない。
第２実施形態の印刷装置１では、パッケージ収納部５の底面に凹状の電池収納部５０が配置され、かかる電池収納部５０に収納される二次電池３１は、ケースカバー４を閉じた際に、電池収納部３０と用紙パッケージ８の間に挟持されている。
【００３２】
尚、本発明は前記実施形態に限定されることはなく、本発明の要旨を逸脱しない範囲内で種々の改良、変形が可能であることは勿論である。
例えば、二次電池の形が多角形である場合、電池収納部もそれに応じて形状を変えることができる。
【図面の簡単な説明】
【００３３】
【図１】本実施形態に係る印刷装置の外観斜視図である。
【図２】印刷装置のケースカバーを開けて示す右側上方からの斜視図である。
【図３】印刷装置のケースカバーの開閉動作を示した図である。
【図４】図２のＸ１−Ｘ１矢視断面図である。
【図５】電池収納部及び二次電池の概略構成を示す斜視図である。
【図６】第１実施形態における二次電池を電池収納部へ取付する方法の説明図である。
【図７】第２実施形態における二次電池を電池収納部へ取付する方法の説明図である。
【符号の説明】
【００３４】
１                印刷装置
４                ケースカバー
５                用紙パッケージ収納部
７                用紙
８                用紙パッケージ
１１              印刷機構部
３０              電池収納部
３１              二次電池
【図１】
2008307789.tif 000003
【図２】
2008307789.tif 000004
【図３】
2008307789.tif 000005
【図４】
2008307789.tif 000006
【図５】
2008307789.tif 000007
【図６】
2008307789.tif 000008
【図７】
2008307789.tif 000009